(57)【特許請求の範囲】
【請求項１】
移動局が、第１セルから第２セルにハンドオーバを行うハンドオーバ方法であって、
前記第１セルが、前記移動局に対して、移動通信ネットワーク内で前記第２セルを一意に特定できる第１セル識別子を含み、前記ハンドオーバを行うように指示するハンドオーバ指示メッセージを通知する工程と、
前記移動局が、前記ハンドオーバ指示メッセージを受信した後、前記第２セルに対して、ハンドオーバ完了メッセージを通知する工程と、
前記移動局が、前記ハンドオーバ完了メッセージを通知した後、前記第２セルにおいて報知情報を受信する工程と、
前記移動局が、前記ハンドオーバ指示メッセージに含まれている前記第１セル識別子と、前記報知情報に含まれている第２セル識別子とが一致するか否かについて判定する工程とを有することを特徴とするハンドオーバ方法。
【請求項２】
前記移動局は、前記第１セル識別子と前記第２セル識別子とが一致しないと判定した場合、再接続を行う工程を有することを特徴とする請求項１に記載のハンドオーバ方法。
【請求項３】
前記移動局は、前記ハンドオーバ指示メッセージを受信してから所定期間内に、前記第１セル識別子と前記第２セル識別子とが一致すると判定できなかった場合、再接続を行う工程を有することを特徴とする請求項１に記載のハンドオーバ方法。
【請求項４】
第１セルから第２セルにハンドオーバを行うように構成されている移動局であって、
前記第１セルによって送信された前記ハンドオーバを行うように指示するハンドオーバ指示メッセージから、移動通信ネットワーク内で前記第２セルを一意に特定できる第１セル識別子を取得するように構成されている第１取得部と、
前記ハンドオーバ指示メッセージが受信された後、前記第２セルに対して、ハンドオーバ完了メッセージを通知するように構成されている通知部と、
前記ハンドオーバ完了メッセージが通知された後、前記第２セルにおいて報知情報を受信するように構成されている報知情報受信部と、
前記ハンドオーバ指示メッセージに含まれている前記第１セル識別子と、前記報知情報に含まれている第２セル識別子とが一致するか否かについて判定するように構成されている判定部とを具備することを特徴とする移動局。
【請求項５】
前記第１セル識別子と前記第２セル識別子とが一致しないと判定された場合、再接続を行うように構成されている再接続部を具備することを特徴とする請求項４に記載の移動局。
【請求項６】
前記ハンドオーバ指示メッセージを受信してから所定期間内に、前記第１セル識別子と前記第２セル識別子とが一致すると判定できなかった場合、再接続を行うように構成されている再接続部を具備することを特徴とする請求項４に記載の移動局。
【発明の詳細な説明】
【技術分野】
【０００１】
本発明は、移動局が第１セルから第２セルにハンドオーバを行うハンドオーバ方法、移動局及び無線基地局に関する。
【背景技術】
【０００２】
図７を参照して、従来のＬＴＥ（Ｌｏｎｇ  Ｔｅｒｍ  Ｅｖｏｌｕｔｉｏｎ）方式のシステムにおいて、移動局ＵＥが「第１セル（Ｓｏｕｒｃｅ  ｃｅｌｌ）」から「第２セル（Ｔａｒｇｅｔ  ｃｅｌｌ）」にハンドオーバを行う動作について説明する。
【０００３】
図７に示すように、ステップＳ２００１において、移動局ＵＥは、第１セル（Ｓｏｕｒｃｅ  ｃｅｌｌ）に対して、「ＲＲＣ  Ｍｅａｓｕｒｅｍｅｎｔ  Ｒｅｐｏｒｔ」を送信する。
【０００４】
ここで、「ＲＲＣ  Ｍｅａｓｕｒｅｍｅｎｔ  Ｒｅｐｏｒｔ」には、「ＰＣＩ（Ｐｈｙｓｉｃａｌ  Ｃｅｌｌ  ＩＤ）」によって特定されるセル（例えば、第２セル）における無線品質の測定結果が含まれている。具体的には、「ＰＣＩ」は、かかるセルにおいて用いられている拡散コードである。
【０００５】
ステップＳ２００２において、第１セルが、受信した「ＲＲＣ  Ｍｅａｓｕｒｅｍｅｎｔ  Ｒｅｐｏｒｔ」に含まれる「ＰＣＩ」によって特定される第２セル（Ｔａｒｇｅｔ  ｃｅｌｌ）に対する当該移動局ＵＥのハンドオーバを行うことを決定し、かかる第２セルに対して、「ＨＯ  Ｐｒｅｐａｒａｔｉｏｎ」を送信する。
【０００６】
ステップＳ２００３において、第２セルが、第１セルに対して、第２セル内で移動局ＵＥを識別するための情報である「ｎｅｗ  Ｃ-ＲＮＴＩ」を含む「ＨＯ  Ｐｒｅｐａｒａｔｉｏｎ  Ａｃｋ」を送信する。「ＨＯ  Ｐｒｅｐａｒａｔｉｏｎ  Ａｃｋ」には、「個別プリアンブル」の指定情報が含まれてもよい。
【０００７】
ステップＳ２００４において、第１セルが、移動局ＵＥに対して、「ｎｅｗ  Ｃ-ＲＮＴＩ」を含む「ＲＲＣ  Ｒｅｃｏｎｆｉｇｕｒａｔｉｏｎ（ＨＯ  Ｃｏｍｍａｎｄ）」を送信する。
【０００８】
ステップＳ２００３において「個別プリアンブル」が指定されていた場合は、ステップＳ２００４の「ＲＲＣ  Ｒｅｃｏｎｆｉｇｕｒａｔｉｏｎ（ＨＯ  Ｃｏｍｍａｎｄ）」においても「個別プリアンブル」の指定情報が含まれる。
【０００９】
ステップＳ２００５において、移動局ＵＥは、「ＲＲＣ  Ｒｅｃｏｎｆｉｇｕｒａｔｉｏｎ（ＨＯ  Ｃｏｍｍａｎｄ）」によって指示された第２セルに移り、第２セルに対して下り同期を確立する。
【００１０】
ステップＳ２００６において、ＲＡＣＨ（Ｒａｎｄｏｍ  Ａｃｃｅｓｓ  Ｃｈａｎｎｅｌ）を介して、第２セルに対して、個別プリアンブル又は共通（ランダム）プリアンブルである「ＲＡ  Ｐｒｅａｍｂｌｅ」を送信する。
【００１１】
移動局ＵＥは、ステップＳ２００４において「個別プリアンブル」が指定されていた場合は、「個別プリアンブル」を用い、「個別プリアンブル」が指定されない場合は、共通プリアンブルを用いる。
【００１２】
また、移動局ＵＥは、「個別プリアンブル」の使用期限が満了した場合は、共通プリアンブルを用いる。
【００１３】
ステップＳ２００７において、第２セルが、移動局ＵＥに対して、「ＲＡ  Ｒｅｓｐｏｎｓｅ」を送信する。「ＲＡ  Ｒｅｓｐｏｎｓｅ」により、次のステップ２００８において用いるべき上りリソースが割り当てられる。
【００１４】
ステップＳ２００８において、移動局ＵＥが、第２セルに対して、「ＲＡ  Ｒｅｓｐｏｎｓｅ」によって割り当てられた上りリソースを用いて、「ＲＲＣ  Ｒｅｃｏｎｆｉｇｕｒａｔｉｏｎ  Ｃｏｍｐｌｅｔｅ（ＨＯ  Ｃｏｍｍａｎｄ  Ｃｏｍｐｌｅｔｅ）」を送信する。
【００１５】
ステップＳ２００９において、第２セルが、交換機ＭＭＥに対して、「Ｐａｔｈ  Ｓｗｉｔｃｈ」を送信する。
【００１６】
ステップＳ２０１０において、第２セルが、第１セルに対して、「Ｒｅｌｅａｓｅ  Ｒｅｓｏｕｒｃｅ」を送信する。
【００１７】
ここで、第２セルが、移動局ＵＥ宛てのデータ或いは移動局ＵＥからのデータの発生を検出した場合に、「ｎｅｗ  Ｃ-ＲＮＴＩ」を用いた「ＰＤＣＣＨ（Ｐｈｙｓｉｃａｌ  Ｄｏｗｎｌｉｎｋ  Ｃｏｎｔｒｏｌ  Ｃｈａｎｎｅｌ）」を用いて、移動局ＵＥに対して、スケジューリング情報を送信する。
【００１８】
ステップＳ２０１１において、第２セルが、前記スケジューリング情報によって割り当てた下りリソース（ＰＤＳＣＨ：Ｐｈｙｓｉｃａｌ  Ｄｏｗｎｌｉｎｋ  Ｓｈａｒｅｄ  Ｃｈａｎｎｅｌ）を用いて、移動局ＵＥに対して、移動局ＵＥ宛てのデータ（Ｕ-Ｐｌａｎｅ  Ｄａｔａ）を送信する。
【００１９】
或いは、移動局ＵＥが、ステップ２０１１において、第２セルが、前記スケジューリング情報によって割り当てた上りリソース（ＰＵＳＣＨ：Ｐｈｙｓｉｃａｌ  Ｕｐｌｉｎｋ  Ｓｈａｒｅｄ  Ｃｈａｎｎｅｌ）を用いて、第２セルに対して、第２セル宛てのデータ（Ｕ-Ｐｌａｎｅ  Ｄａｔａ）を送信する。
【００２０】
ここで、従来のＬＴＥ方式の移動通信システムでは、移動局ＵＥが、「個別プリアンブル」を用いた場合には、第２セルから「ＲＡ  Ｒｅｓｐｏｎｓｅ」を受信した時点で、第１セルから第２セルへのハンドオーバが成功したと判断するように構成されている。
【００２１】
これは、「個別プリアンブル」が、第２セルにおいて移動局ＵＥのハンドオーバアクセス用に事前にリザーブされており、第２セルが、かかる「個別プリアンブル」を受信することで、かかる移動局ＵＥの到着を検出することができ、移動局ＵＥが、第２セルからの「個別プリアンブル」に対する「ＲＡ  Ｒｅｓｐｏｎｓｅ」を受信することで、第２セルが「個別プリアンブル」を受信したものと看做なせるからである。
【００２２】
また、従来のＬＴＥ方式の移動通信システムでは、移動局ＵＥが、「共通プリアンブル」を用いた場合には、第２セルによって「ＰＤＣＣＨ」を介してスケジュール情報を受信した時点で、第１セルから第２セルへのハンドオーバが成功したと判断するように構成されている。
【００２３】
これは、「共通プリアンブル」は、同時に複数の異なる移動局ＵＥによってランダムに選択されて送信されるものであり、移動局ＵＥが、「ＲＡ  Ｒｅｓｐｏｎｓｅ」を受信した時点や「ＲＲＣ  Ｒｅｃｏｎｆｉｇｕｒａｔｉｏｎ  Ｃｏｍｐｌｅｔｅ（ＨＯ  Ｃｏｍｍａｎｄ  Ｃｏｍｐｌｅｔｅ）」に対する「ＨＡＲＱ  Ａｃｋ」を受信した時点では、衝突（ｃｏｎｔｅｎｔｉｏｎ）が発生していた可能性があるためである。
【００２４】
したがって、移動局ＵＥは、「ＲＲＣ  Ｒｅｃｏｎｆｉｇｕｒａｔｉｏｎ  Ｃｏｍｐｌｅｔｅ（ＨＯ  Ｃｏｍｍａｎｄ  Ｃｏｍｐｌｅｔｅ）」に対する「ＨＡＲＱ  Ａｃｋ」を受信した後に、「ＰＤＣＣＨ」を介して自身の第２セル内におけるＩＤである「ｎｅｗ  Ｃ-ＲＮＴＩ」宛てスケジューリング情報を受信した場合にのみ、第２セルに対するアクセスが成功したものと看做すことができる。
【００２５】
なお、ＬＴＥ方式では、ＲＡプリアンブルが６４通りあり、セル毎に個別プリアンブルとしてリザーブする分と、共通プリアンブルとして用いる分に分けることができる。
【００２６】
例えば、ＲＡプリアンブル＃０〜＃４７を共通プリアンブルとし、ＲＡプリアンブル＃４８〜＃６３を個別プリアンブルといった具合に区分することができる。かかる区分は、セル毎に異なってよい。
【非特許文献１】３ＧＰＰ  ＴＳ３６.３００  Ｖ８.４.０、２００８年３月
【非特許文献２】３ＧＰＰ  ＴＳ３６.３３１  Ｖ８.１.０、２００８年３月
【発明の開示】
【発明が解決しようとする課題】
【００２７】
しかしながら、従来のＬＴＥ方式の移動通信システムでは、各セルを識別するための識別情報である「ＰＣＩ」は、隣接していない複数のセルに対して繰り返し割り当てられるように構成されているため、図８に示すように、移動局ＵＥが「第２セル（Ｔａｒｇｅｔ  ｃｅｌｌ）」として想定しているセルと、「第１セル（Ｓｏｕｒｃｅ  ｃｅｌｌ）」が「第２セル（Ｔａｒｇｅｔ  ｃｅｌｌ）」として想定しているセルとが異なる場合が存在し得る。
【００２８】
上述の通り、従来のＬＴＥ方式の移動通信システムでは、移動局ＵＥは「ＲＡ  Ｒｅｓｐｏｎｓｅ」或いは「ＰＤＣＣＨ」を介して所定情報を受信した場合に、ハンドオーバが成功したと看做してしまうため、移動局ＵＥが「第２セル（Ｔａｒｇｅｔ  ｃｅｌｌ）」として想定しているセルと、「第１セル（Ｓｏｕｒｃｅ  ｃｅｌｌ）」が「第２セル（Ｔａｒｇｅｔ  ｃｅｌｌ）」として想定しているセルとが異なる場合であっても、移動局ＵＥが、第１セルから第２セルへのハンドオーバが成功したと判断してしまうという問題点があった。
【００２９】
これは、移動局ＵＥが、「個別プリアンブル」を用いた場合であって、かつ、第２セルが、たまたま同じ「個別プリアンブル」を、他の移動局ＵＥに割り当てていた場合、第２セルが、かかる「個別プリアンブル」を検出して「ＲＡ  Ｒｅｓｐｏｎｓｅ」を返す場合があるためである。
【００３０】
また、移動局ＵＥが、「個別プリアンブル」を用いた場合であって、かつ、第２セルにおいて、当該「個別プリアンブル」が、「共通プリアンブル」として区分されている場合、第２セルが、かかる「共通プリアンブル」を受信したと思い、「ＲＡ  Ｒｅｓｐｏｎｓｅ」を返す場合があるためである。
【００３１】
また、移動局ＵＥが、「共通プリアンブル」を用いた場合であって、かつ、第２セルにおいて、既に「ｎｅｗ  Ｃ-ＲＮＴＩ」と同一の「Ｃ-ＲＮＴＩ」を用いる他の移動局ＵＥが存在した場合、かかる移動局ＵＥが、第２セルによって他の移動局ＵＥ宛てに「ＰＤＣＣＨ」を介して送信されたスケジューリング情報を、誤って受信してしまう場合があるためである。
【００３２】
移動局ＵＥは、第１セルによって意図されていない第２セルに対してハンドオーバを行い、ハンドオーバが成功したと判断してしまうと、誤った第２セルへ在圏してしまい、誤りを検出できないという問題があった。
【００３３】
特に、移動局ＵＥによって意図されていない第２セルにおいて、当該移動局ＵＥに割り当てられた「ｎｅｗ  Ｃ-ＲＮＴＩ」と同一の「Ｃ-ＲＮＴＩ」を用いる他の移動局ＵＥが既に存在していた場合、誤ってハンドオーバしてきた当該移動局ＵＥが、他の移動局ＵＥ宛てに「ＰＤＣＣＨ」を介して送信されたスケジューリング情報等を、あたかも自分宛てに「ＰＤＣＣＨ」を介して送信されたスケジューリング情報等として受信し、当該「ＰＤＣＣＨ」によって割り当てられて下りリソースを使ってデータを受信したり、当該「ＰＤＣＣＨ」によって割り当てられて上りリソースを使ってデータを送信したりする場合があるという問題点があった。
【００３４】
また、移動局ＵＥが、下りデータに対する「ＨＡＲＱ  Ａｃｋ」や上りデータを送信した場合、他の移動局ＵＥの通信を妨げてしまうという問題点があった。
【００３５】
このような問題点は、特に、フェムト基地局や、ホーム基地局や、「ＣＳＧ（ｃｌｏｓｅｄ  ｓｕｂｓｃｒｉｂｅｒ  ｃｅｌｌ）」といった小型基地局が数多く設置される場合に顕在化する可能性が高い。
【００３６】
また、このような問題点は、各セルが自律的に「ＰＣＩ（Ｐｈｙｓｉｃａｌ  Ｃｅｌｌ  ＩＤ）」を選択して設定するような自己設定機能や自己最適化機能が導入された場合に、顕在化する可能性がある。
【００３７】
そこで、本発明は、上述の課題に鑑みてなされたものであり、移動局ＵＥによって、当該移動局ＵＥが「第２セル（Ｔａｒｇｅｔ  ｃｅｌｌ）」として想定しているセルと、「第１セル（Ｓｏｕｒｃｅ  ｃｅｌｌ）」が「第２セル（Ｔａｒｇｅｔ  ｃｅｌｌ）」として想定しているセルとが異なっていることを検知して、第１セルから第２セルへのハンドオーバが成功したか否かについて正確かつ速やかに判断することができるハンドオーバ方法、移動局及び無線基地局を提供することを目的とする。
【課題を解決するための手段】
【００３８】
本発明の第１の特徴は、移動局が、第１セルから第２セルにハンドオーバを行うハンドオーバ方法であって、前記第１セルが、前記移動局に対して、移動通信ネットワーク内で前記第２セルを一意に特定できる第１セル識別子を含み、前記ハンドオーバを行うように指示するハンドオーバ指示メッセージを通知する工程と、前記移動局が、前記ハンドオーバ指示メッセージを受信した後、前記第２セルに対して、ハンドオーバ完了メッセージを通知する工程と、前記移動局が、前記ハンドオーバ完了メッセージを通知した後、前記第２セルにおいて報知情報を受信する工程と、前記移動局が、前記ハンドオーバ指示メッセージに含まれている前記第１セル識別子と、前記報知情報に含まれている第２セル識別子とが一致するか否かについて判定する工程とを有することを要旨とする。
【００３９】
本発明の第１の特徴において、前記移動局は、前記第１セル識別子と前記第２セル識別子とが一致しないと判定した場合、再接続を行う工程を有してもよい。
【００４０】
本発明の第１の特徴において、前記移動局は、前記ハンドオーバ指示メッセージを受信してから所定期間内に、前記第１セル識別子と前記第２セル識別子とが一致すると判定できなかった場合、再接続を行う工程を有してもよい。
【００４１】
本発明の第２の特徴は、第１セルから第２セルにハンドオーバを行うように構成されている移動局であって、前記第１セルによって送信された前記ハンドオーバを行うように指示するハンドオーバ指示メッセージから、移動通信ネットワーク内で前記第２セルを一意に特定できる第１セル識別子を取得するように構成されている第１取得部と、前記ハンドオーバ指示メッセージが受信された後、前記第２セルに対して、ハンドオーバ完了メッセージを通知するように構成されている通知部と、前記ハンドオーバ完了メッセージが通知された後、前記第２セルにおいて報知情報を受信するように構成されている報知情報受信部と、前記ハンドオーバ指示メッセージに含まれている前記第１セル識別子と、前記報知情報に含まれている第２セル識別子とが一致するか否かについて判定するように構成されている判定部とを具備することを要旨とする。
【００４２】
本発明の第２の特徴において、前記第１セル識別子と前記第２セル識別子とが一致しないと判定された場合、再接続を行うように構成されている再接続部を具備してもよい。
【００４３】
本発明の第２の特徴において、前記ハンドオーバ指示メッセージを受信してから所定期間内に、前記第１セル識別子と前記第２セル識別子とが一致すると判定できなかった場合、再接続を行うように構成されている再接続部を具備してもよい。
【００４４】
本発明の第３の特徴は、移動局が、第１セルから第２セルにハンドオーバを行うように構成されている移動通信システムにおいて、該第１セルを管理する無線基地局であって、前記第２セルに対して、前記ハンドオーバの準備を行うように指示するハンドオーバ準備メッセージを送信し、該第２セルから、該ハンドオーバ準備メッセージに対する応答であるハンドオーバ準備応答メッセージを受信するように構成されている第２セルインターフェイスと、前記ハンドオーバ準備応答メッセージが受信された場合に、前記移動局に対して、移動通信ネットワーク内で前記第２セルを一意に特定できる第１セル識別子を含み、前記ハンドオーバを行うように指示するハンドオーバ指示メッセージを通知するように構成されている無線インターフェイスとを具備することを要旨とする。
【発明の効果】
【００４５】
以上説明したように、本発明によれば、移動局ＵＥが「第２セル（Ｔａｒｇｅｔ  ｃｅｌｌ）」として想定しているセルと、「第１セル（Ｓｏｕｒｃｅ  ｃｅｌｌ）」が「第２セル（Ｔａｒｇｅｔ  ｃｅｌｌ）」として想定しているセルとが異なっている場合であっても、かかる事実を検知して、第１セルから第２セルへのハンドオーバが成功したか否かについて正確かつ速やかに判断することができるハンドオーバ方法、移動局及び無線基地局を提供することができる。
【発明を実施するための最良の形態】
【００４６】
（本発明の第１の実施形態に係る移動通信システムの構成）
図１乃至図４を参照して、本発明の第１の実施形態に係る移動通信システムの構成について説明する。
【００４７】
図１に示すように、本実施形態に係る移動通信システムでは、移動局ＵＥが、「第１セル（Ｓｅｒｖｉｎｇ  ｃｅｌｌ、Ｓｏｕｒｃｅ  ｃｅｌｌ）」から「第２セル（Ｔａｒｇｅｔ  ｃｅｌｌ）」にハンドオーバを行うように構成されている。本実施形態に係る移動通信システムには、複数の無線基地局ｅＮＢによって管理されているセルが形成されている。
【００４８】
ここで、図２に示すように、本実施形態に係る移動通信システムにおいて、移動局ＵＥ及び無線基地局ｅＮＢは、それぞれ、物理（ＰＨＹ）レイヤとＭＡＣレイヤとＲＬＣレイヤとＰＤＣＰレイヤとＲＲＣレイヤとからなるプロトコルスタックを具備している。
【００４９】
図３に示すように、第２セルを管理する無線基地局ｅＮＢは、無線インターフェイス１１と、Ｘ２インターフェイス１２と、周辺基地局情報管理部１３とを具備している。
【００５０】
Ｘ２インターフェイス１２は、周辺無線基地局ｅＢとの間のインターフェイスの役割を果たすものである。
【００５１】
具体的には、Ｘ２インターフェイス１２は、第２セルに対して、ハンドオーバの準備を行うように指示する「ＨＯ  Ｐｒｅｐａｒａｔｉｏｎ（ハンドオーバ準備メッセージ）」を送信し、第２セルから、「ＨＯ  Ｐｒｅｐａｒａｔｉｏｎ（ハンドオーバ準備メッセージ）」に対する応答である「ＨＯ  Ｐｒｅｐａｒａｔｉｏｎ  Ａｃｋ（ハンドオーバ準備応答メッセージ）」を受信するように構成されている。
【００５２】
周辺基地局情報管理部１３は、無線基地局ｅＮＢの周辺の無線基地局に係る周辺基地局情報を管理するように構成されている。
【００５３】
具体的には、周辺基地局情報管理部１３は、かかる周辺基地局情報として、「Ｘ２インターフェイス」と「ＰＣＩ」と「ＧＣＩ」とを関連付けて記憶するように構成されている。
【００５４】
ここで、「Ｘ２インターフェイス」は、前記無線基地局ｅＮＢの周辺の無線基地局配下のセルを特定するための情報（例えば、ＴＥ-ＩＤ）を含み、「ＰＣＩ」は、当該無線基地局ｅＮＢの周辺の無線基地局（セル）の「ＰＣＩ」を含み、「ＧＣＩ」は、当該無線基地局ｅＮＢの周辺の無線基地局（セル）を一意に特定できる「ＧＣＩ：Ｇｌｏｂａｌ  Ｃｅｌｌ  ＩＤ（第１セル識別子）」を含む。
【００５５】
例えば、「ＧＣＩ」は、当該無線基地局ｅＮＢの周辺の無線基地局（セル）をＰＬＭＮ内で一意に特定できるＩＤであってもよいし、当該無線基地局ｅＮＢが属するトラッキングエリア（ＴＡ：Ｔｒａｃｋｉｎｇ  Ａｒｅａ）内で一意に無線基地局（セル）を識別できるＩＤであってもよい。
【００５６】
なお、上述した「移動通信ネットワーク内で当該無線基地局ｅＮＢの周辺の無線基地局（セル）を一意に特定できる第１セル識別子」としての「ＧＣＩ」は、「ＢＣＩ：Ｂｒｏａｄｃａｓｔ  Ｃｅｌｌ  ＩＤ」と呼ばれてもよい。
【００５７】
なお、例えば、「ＰＣＩ」は、５０４セルで繰り返し用いられるスクランブルコードであり、当該無線基地局ｅＮＢの周辺の無線基地局をネットワーク内で一意に特定することができない。
【００５８】
なお、周辺基地局情報管理部１３は、かかる周辺基地局情報として、「ＧＣＩ」を記憶しない、すなわち、「Ｘ２インターフェイス」と「ＰＣＩ」とのみを関連付けて記憶するように構成されていてもよい。
【００５９】
無線インターフェイス１１は、配下のセル（第１セル）内の移動局ＵＥとの間のインターフェイスの役割を果たすものである。
【００６０】
具体的には、ハンドオーバ先候補セルである第２セルから、「ＨＯ  Ｐｒｅｐａｒａｔｉｏｎ  Ａｃｋ（ハンドオーバ準備応答メッセージ）」が受信された場合に、配下のセル内の移動局ＵＥに対して、無線インターフェイス１１は、「ＧＣＩ（第１セル識別子）」を含み、第１セルから第２セルにハンドオーバを行うように指示する「ＨＯ  Ｃｏｍｍａｎｄ（ハンドオーバ指示メッセージ）」を通知するように構成されている。
【００６１】
ここで、無線インターフェイス１１は、かかる第２セルを特定するための情報である「Ｘ２インターフェイス」或いは「ＰＣＩ」に関連付けられている「ＧＣＩ」を含む「ＨＯ  Ｃｏｍｍａｎｄ（ハンドオーバ指示メッセージ）」を通知するように構成されていてもよいし、かかる第２セルから受信した「ＨＯ  Ｐｒｅｐａｒａｔｉｏｎ  Ａｃｋ（ハンドオーバ準備応答メッセージ）」に含まれている「ＧＣＩ」を含む「ＨＯ  Ｃｏｍｍａｎｄ（ハンドオーバ指示メッセージ）」を通知するように構成されていてもよい。
【００６２】
なお、無線インターフェイス１１は、「ＨＯ  Ｃｏｍｍａｎｄ（ハンドオーバ指示メッセージ）」のオーバーヘッドを削減するために、「ＧＣＩ」の下位ビットのみを送信するように構成されていてもよい。
【００６３】
図４に示すように、移動局ＵＥは、ハンドオーバ処理部２１と、報知情報受信部２２と、判断部２３と、再接続部２４とを具備している。
【００６４】
ハンドオーバ処理部２１は、ハンドオーバ元セル（第１セル）及びハンドオーバ先候補セル（第２セル）との間で、ハンドオーバ処理に関連する信号（ＲＲＣプロトコルのメッセージ）を送受信するように構成されている。
【００６５】
例えば、ハンドオーバ処理部２１は、第１セルによって送信された「ＨＯ  Ｃｏｍｍａｎｄ（ハンドオーバ指示メッセージ）」から、移動通信ネットワーク内で第２セルを一意に特定できる「ＧＣＩ（第１セル識別子）」を取得するように構成されている。
【００６６】
また、ハンドオーバ処理部２１は、「ＨＯ  Ｃｏｍｍａｎｄ（ハンドオーバ指示メッセージ）」が受信された後、第２セルに対して、「ＨＯ  Ｃｏｍｐｌｅｔｅ（ハンドオーバ完了メッセージ）」を通知するように構成されている。
【００６７】
報知情報受信部２２は、ハンドオーバ処理部２１によって「ＨＯ  Ｃｏｍｐｌｅｔｅ（ハンドオーバ完了メッセージ）」が通知された後、第２セルにおいて報知情報を受信するように構成されている。
【００６８】
具体的には、報知情報受信部２２は、周期的に報知されている「ＳＩＢ１（Ｓｙｓｔｅｍ  Ｉｎｆｏｒｍａｔｉｏｎ  Ｂｌｏｃｋ  １）」を受信し、当該ＳＩＢ１に含まれている「ＧＣＩ（第２セル識別子）」を取得するように構成されている。
【００６９】
判断部２３は、「ＨＯ  Ｃｏｍｍａｎｄ（ハンドオーバ指示メッセージ）」に含まれている「ＧＣＩ（第１セル識別子）」と、報知情報（ＳＩＢ１）に含まれている「ＧＣＩ（第２セル識別子）」とが一致するか否かについて判定するように構成されている。
【００７０】
再接続部２４は、「ＧＣＩ（第１セル識別子）」と「ＧＣＩ（第２セル識別子）」とが一致しないと判定された場合、再接続を行うように構成されている。
【００７１】
例えば、再接続部２４は、「ＨＯ  Ｃｏｍｍａｎｄ（ハンドオーバ指示メッセージ）」を受信してから所定期間内に、すなわち、「ＨＯ  Ｃｏｍｍａｎｄ（ハンドオーバ指示メッセージ）」の受信時に起動される所定タイマが満了するまでに、「ＧＣＩ（第１セル識別子）」と「ＧＣＩ（第２セル識別子）」とが一致すると判定できなかった場合、再接続を行うように構成されている。
【００７２】
例えば、かかる場合、再接続部２４は、セル選択を行い、選択したセルに対して、「ＲＲＣ  Ｃｏｎｎｅｃｔｉｏｎ  Ｒｅｓｔａｂｌｉｓｈｍｅｎｔ  Ｒｅｑｕｅｓｔ（再接続要求メッセージ）」を送信することによって、再接続手順を行うように構成されている。
（本発明の第１の実施形態に係る移動通信システムの動作）
図５及び図６を参照して、本発明の第１の実施形態に係る移動通信システムの動作について説明する。
【００７３】
具体的には、図５を参照して、従来のＬＴＥ（Ｌｏｎｇ  Ｔｅｒｍ  Ｅｖｏｌｕｔｉｏｎ）方式の移動通信システムにおいて、移動局ＵＥが「第１セル（Ｓｅｒｖｉｎｇ  ｃｅｌｌ、Ｓｏｕｒｃｅ  ｃｅｌｌ）」から「第２セル（Ｔａｒｇｅｔ  ｃｅｌｌ）」にハンドオーバを行う動作（成功例）について説明する。
【００７４】
図５に示すように、ステップＳ１００１において、移動局ＵＥは、第１セル（Ｓｏｕｒｃｅ  ｃｅｌｌ）に対して、周辺セルにおける無線品質の測定結果を報告するための「ＲＲＣ  Ｍｅａｓｕｒｅｍｅｎｔ  Ｒｅｐｏｒｔ（測定報告）」を送信する。
【００７５】
ここで、移動局ＵＥは、観測可能な周辺セルのうち、「Ｍｅａｓｕｒｅｍｅｎｔ  Ｃｏｎｆｉｇｕｒａｔｉｏｎ」によって定義されている所定条件を満たすセルにおける無線品質の測定結果を含む「ＲＲＣ  Ｍｅａｓｕｒｅｍｅｎｔ  Ｒｅｐｏｒｔ（測定報告）」を送信する。
【００７６】
なお、「ＲＲＣ  Ｍｅａｓｕｒｅｍｅｎｔ  Ｒｅｐｏｒｔ（測定報告）」内では、各セルは「ＰＣＩ」によって特定される。また、「ＲＲＣ  Ｍｅａｓｕｒｅｍｅｎｔ  Ｒｅｐｏｒｔ（測定報告）」には、各セルの「ＧＣＩ」は含まれていない。
【００７７】
また、「ＰＣＩ」は、拡散コードであるため、移動局ＵＥは、セルサーチによって「ＰＣＩ」を容易に検出することができる。これに対して、「ＧＣＩ」は、報知情報（ＳＩＢ１）に含まれるものであるため、移動局ＵＥは、「ＧＣＩ」を検出するためには、かかる報知情報（ＳＩＢ１）を読み込む必要があるため、「ＰＣＩ」と比べて容易に「ＧＣＩ」を検出することができない。
【００７８】
特に、かかる報知情報が、異なるキャリアのセルのものである場合、「Ｍｅａｓｕｒｅｍｅｎｔ  Ｇａｐ」が必要になる等、「ＧＣＩ」の検出には困難を伴う。
【００７９】
ステップＳ１００２において、第１セルが、受信した「ＲＲＣ  Ｍｅａｓｕｒｅｍｅｎｔ  Ｒｅｐｏｒｔ」に含まれる「ＰＣＩ」によって特定される第２セル（Ｔａｒｇｅｔ  ｃｅｌｌ）に対して、「ＨＯ  Ｐｒｅｐａｒａｔｉｏｎ」を送信する。
【００８０】
ステップＳ１００３において、第２セルが、第１セルに対して、第２セル内において移動局ＵＥを識別する情報である「ｎｅｗ  Ｃ-ＲＮＴＩ」を含む「ＨＯ  Ｐｒｅｐａｒａｔｉｏｎ  Ａｃｋ」を送信する。「ＨＯ  Ｐｒｅｐａｒａｔｉｏｎ  Ａｃｋ」には、「個別プリアンブル」の指定情報が含まれてもよい。
【００８１】
ステップＳ１００４において、第１セルが、移動局ＵＥに対して、「ｎｅｗ  Ｃ-ＲＮＴＩ」を含む「ＲＲＣ  Ｒｅｃｏｎｆｉｇｕｒａｔｉｏｎ（ＨＯ  Ｃｏｍｍａｎｄ、ハンドオーバ指示メッセージ）」を送信する。
【００８２】
ここで、「ＲＲＣ  Ｒｅｃｏｎｆｉｇｕｒａｔｉｏｎ（ＨＯ  Ｃｏｍｍａｎｄ、ハンドオーバ指示メッセージ）」には、更に、第２セルの「ＰＣＩ」及び「ＧＣＩ（第１セル識別子）」が含まれている。
【００８３】
なお、「ＨＯ  Ｐｒｅｐａｒａｔｉｏｎ  Ａｃｋ」に「ＧＣＩ」が含まれていた場合、第１セルは、かかる「ＧＣＩ」を含む「ＲＲＣ  Ｒｅｃｏｎｆｉｇｕｒａｔｉｏｎ（ＨＯ  Ｃｏｍｍａｎｄ、ハンドオーバ指示メッセージ）」を送信する。
【００８４】
一方、「ＨＯ  Ｐｒｅｐａｒａｔｉｏｎ  Ａｃｋ」に「ＧＣＩ」が含まれていない場合、第１セルは、第２セルに対応する「ＧＣＩ」を抽出し、抽出した「ＧＣＩ」を含む「ＲＲＣ  Ｒｅｃｏｎｆｉｇｕｒａｔｉｏｎ（ＨＯ  Ｃｏｍｍａｎｄ、ハンドオーバ指示メッセージ）」を送信する。  また、ステップＳ１００３において「個別プリアンブル」が指定されていた場合には、ステップＳ１００４の「ＲＲＣ  Ｒｅｃｏｎｆｉｇｕｒａｔｉｏｎ（ＨＯ  Ｃｏｍｍａｎｄ、ハンドオーバ指示メッセージ）」においても、「個別プリアンブル」の指定情報が含まれる。
【００８５】
ここで、移動局ＵＥが、第１セルに対して、ＭＡＣレイヤ（レイヤ２）における「ＲＲＣ  Ｒｅｃｏｎｆｉｇｕｒａｔｉｏｎ（ＨＯ  Ｃｏｍｍａｎｄ）」の受信処理が成功したことを通知するための「ＨＡＲＱ  Ａｃｋ」を送信する。
【００８６】
ステップＳ１００５において、移動局ＵＥは、「ＲＲＣ  Ｒｅｃｏｎｆｉｇｕｒａｔｉｏｎ（ＨＯ  Ｃｏｍｍａｎｄ）」によって指示された第２セルに移り、第２セルに対して下り同期を確立する。
【００８７】
ステップＳ１００６において、ＲＡＣＨを介して、第２セルに対して、個別プリアンブル又は共通（ランダム）プリアンブルである「ＲＡ  Ｐｒｅａｍｂｌｅ」を送信する。
【００８８】
移動局ＵＥは、ステップＳ１００４において「個別プリアンブル」が指定されていた場合には「個別プリアンブル」を用い、「個別プリアンブル」指定されていない場合には「共通プリアンブル」を用いる。
【００８９】
また、移動局ＵＥは、「個別プリアンブル」の使用期限が満了した場合は、「共通プリアンブル」を用いる。
【００９０】
ステップＳ１００７において、第２セルが、移動局ＵＥに対して、「ＲＡ  Ｒｅｓｐｏｎｓｅ」を送信する。「ＲＡ  Ｒｅｓｐｏｎｓｅ」により、次のステップ１００８において用いるべき上りリソースが割り当てられる。
【００９１】
ステップＳ１００８において、移動局ＵＥが、第２セルに対して、「ＲＡ  Ｒｅｓｐｏｎｓｅ」によって割り当てられた上りリソースを用いて、「ＲＲＣ  Ｒｅｃｏｎｆｉｇｕｒａｔｉｏｎ  Ｃｏｍｐｌｅｔｅ（ＨＯ  Ｃｏｍｐｌｅｔｅ、ハンドオーバ完了メッセージ）」を送信する。
【００９２】
ここで、第２セルが、移動局ＵＥに対して、ＭＡＣレイヤ（レイヤ２）における「ＲＲＣ  Ｒｅｃｏｎｆｉｇｕｒａｔｉｏｎ  Ｃｏｍｐｌｅｔｅ（ＨＯ  Ｃｏｍｍａｎｄ  Ｃｏｍｐｌｅｔｅ）」の受信処理が成功したことを通知するための「ＨＡＲＱ  Ａｃｋ」を送信する。
【００９３】
ステップＳ１００９において、第２セルが、交換機ＭＭＥに対して、「Ｐａｔｈ  Ｓｗｉｔｃｈ」を送信する。
【００９４】
ステップＳ１０１０において、第２セルが、該第２セルの「ＧＣＩ（第２セル識別子）」を含む報知情報（ＳＩＢ１）を報知する。
【００９５】
ステップＳ１０１１において、第２セルが、第１セルに対して、「Ｒｅｌｅａｓｅ  Ｒｅｓｏｕｒｃｅ」を送信する。
【００９６】
ステップＳ１０１２において、移動局ＵＥは、ステップＳ１００４において受信した「ＨＯ  Ｃｏｍｍａｎｄ（ハンドオーバ指示メッセージ）」に含まれている「ＧＣＩ（第１セル識別子）」と、ステップＳ１０１０において受信した報知情報（ＳＩＢ１）に含まれている「ＧＣＩ（第２セル識別子）」とが一致するか否かについて判定する。
【００９７】
両者が一致すると判定した場合、移動局ＵＥは、かかるハンドオーバ処理に成功したと判断する。
【００９８】
ここで、第２セルが、移動局ＵＥ宛てのデータ或いは移動局ＵＥからのデータの発生を検出した場合に、「ｎｅｗ  Ｃ-ＲＮＴＩ」を用いた「ＰＤＣＣＨ（Ｐｈｙｓｉｃａｌ  Ｄｏｗｎｌｉｎｋ  Ｃｏｎｔｒｏｌ  Ｃｈａｎｎｅｌ）」を用いて、移動局ＵＥに対して、スケジューリング情報を送信する。
【００９９】
ステップＳ１０１３において、第２セルが、前記スケジューリング情報によって割り当てた下りリソース（ＰＤＳＣＨ：Ｐｈｙｓｉｃａｌ  Ｄｏｗｎｌｉｎｋ  Ｓｈａｒｅｄ  Ｃｈａｎｎｅｌ）を用いて、移動局ＵＥに対して、移動局ＵＥ宛てのデータ（Ｕ-Ｐｌａｎｅ  Ｄａｔａ）を送信する。
【０１００】
或いは、移動局ＵＥが、ステップ１０１３において、第２セルが、前記スケジューリング情報によって割り当てた上りリソース（ＰＵＳＣＨ：Ｐｈｙｓｉｃａｌ  Ｕｐｌｉｎｋ  Ｓｈａｒｅｄ  Ｃｈａｎｎｅｌ）を用いて、第２セルに対して、第２セル宛てのデータ（Ｕ-Ｐｌａｎｅ  Ｄａｔａ）を送信する。
【０１０１】
次に、図６を参照して、従来のＬＴＥ（Ｌｏｎｇ  Ｔｅｒｍ  Ｅｖｏｌｕｔｉｏｎ）方式の移動通信システムにおいて、移動局ＵＥが「第１セル（Ｓｅｒｖｉｎｇ  ｃｅｌｌ、Ｓｏｕｒｃｅ  ｃｅｌｌ）」から「第２セル（Ｔａｒｇｅｔ  ｃｅｌｌ）」にハンドオーバを行う動作（失敗例）について説明する。
【０１０２】
図６に示すように、ステップＳ１００１Ａにおいて、移動局ＵＥは、第１セルに対して、周辺セルにおける無線品質の測定結果を報告するための「ＲＲＣ  Ｍｅａｓｕｒｅｍｅｎｔ  Ｒｅｐｏｒｔ（測定報告）」を送信する。
【０１０３】
ここで、移動局ＵＥは、第１セルに対して、「セル＃２」を特定する「ＰＣＩ」を含む「ＲＲＣ  Ｍｅａｓｕｒｅｍｅｎｔ  Ｒｅｐｏｒｔ（測定報告）」を送信する。
【０１０４】
ステップＳ１００２Ａにおいて、第１セルが、「第２セル」として想定している「セル＃１」、すなわち、「ＲＲＣ  Ｍｅａｓｕｒｅｍｅｎｔ  Ｒｅｐｏｒｔ（測定報告）」に含まれる「ＰＣＩ」によって特定されると想定している「セル＃１」に対して、「ＨＯ  Ｐｒｅｐａｒａｔｉｏｎ」を送信する。
【０１０５】
すなわち、移動局ＵＥが「セル＃２」を特定する「ＰＣＩ」と、第１セルが「セル＃１」を特定する「ＰＣＩ」とが同一である。
【０１０６】
ステップＳ１００３Ａにおいて、「セル＃１」が、第１セルに対して、「セル＃１」内において移動局ＵＥを識別する情報である「ｎｅｗ  Ｃ-ＲＮＴＩ」を含む「ＨＯ  Ｐｒｅｐａｒａｔｉｏｎ  Ａｃｋ」を送信する。「ＨＯ  Ｐｒｅｐａｒａｔｉｏｎ  Ａｃｋ」には、「個別プリアンブル」の指定情報が含まれてもよい。
【０１０７】
ステップＳ１００４Ａにおいて、第１セルが、移動局ＵＥに対して、「ｎｅｗ  Ｃ-ＲＮＴＩ」を含む「ＲＲＣ  Ｒｅｃｏｎｆｉｇｕｒａｔｉｏｎ（ＨＯ  Ｃｏｍｍａｎｄ、ハンドオーバ指示メッセージ）」を送信する。
【０１０８】
ここで、「ＲＲＣ  Ｒｅｃｏｎｆｉｇｕｒａｔｉｏｎ（ＨＯ  Ｃｏｍｍａｎｄ、ハンドオーバ指示メッセージ）」には、更に、「セル＃１」の「ＰＣＩ」及び「ＧＣＩ（セル識別子）」が含まれている。
【０１０９】
また、ステップＳ１００３Ａにおいて「個別プリアンブル」が指定されていた場合には、ステップＳ１００４Ａの「ＲＲＣ  Ｒｅｃｏｎｆｉｇｕｒａｔｉｏｎ（ＨＯ  Ｃｏｍｍａｎｄ、ハンドオーバ指示メッセージ）」においても、「個別プリアンブル」の指定情報が含まれる。
【０１１０】
ここで、移動局ＵＥが、第１セルに対して、ＭＡＣレイヤ（レイヤ２）における「ＲＲＣ  Ｒｅｃｏｎｆｉｇｕｒａｔｉｏｎ（ＨＯ  Ｃｏｍｍａｎｄ）」の受信処理が成功したことを通知するための「ＨＡＲＱ  Ａｃｋ」を送信する。
【０１１１】
ステップＳ１００５Ａにおいて、移動局ＵＥは、「ＲＲＣ  Ｒｅｃｏｎｆｉｇｕｒａｔｉｏｎ（ＨＯ  Ｃｏｍｍａｎｄ）」に含まれている「ＰＣＩ」に対応し、当該移動局ＵＥが「第２セル」として想定している「セル＃２」に移り、「セル＃２」に対して下り同期を確立する。
【０１１２】
ステップＳ１００６Ａにおいて、ＲＡＣＨを介して、「セル＃２」に対して、個別プリアンブル又は共通（ランダム）プリアンブルである「ＲＡ  Ｐｒｅａｍｂｌｅ」を送信する。
【０１１３】
移動局ＵＥは、ステップＳ１００４において「個別プリアンブル」が指定されていた場合には「個別プリアンブル」を用い、「個別プリアンブル」指定されていない場合には「共通プリアンブル」を用いる。
【０１１４】
また、移動局ＵＥは、「個別プリアンブル」の使用期限が満了した場合は、「共通プリアンブル」を用いる。
【０１１５】
ステップＳ１００７Ａにおいて、「セル＃２」が、移動局ＵＥに対して、「ＲＡ  Ｒｅｓｐｏｎｓｅ」を送信する。「ＲＡ  Ｒｅｓｐｏｎｓｅ」により、次のステップ１００８Ａにおいて用いるべき上りリソースが割り当てられる。
【０１１６】
ステップＳ１００８Ａにおいて、移動局ＵＥが、「セル＃２」に対して、「ＲＡ  Ｒｅｓｐｏｎｓｅ」によって割り当てられた上りリソースを用いて、「ＲＲＣ  Ｒｅｃｏｎｆｉｇｕｒａｔｉｏｎ  Ｃｏｍｐｌｅｔｅ（ＨＯ  Ｃｏｍｐｌｅｔｅ、ハンドオーバ完了メッセージ）」を送信する。
【０１１７】
ステップＳ１０１０Ａにおいて、移動局ＵＥが、「セル＃２」によって報知されている「セル＃２」の「ＧＣＩ（第２セル識別子）」を含む報知情報（ＳＩＢ１）を受信する。
【０１１８】
ステップＳ１０１２Ａにおいて、移動局ＵＥは、ステップＳ１００４Ａにおいて受信した「ＨＯ  Ｃｏｍｍａｎｄ（ハンドオーバ指示メッセージ）」に含まれている「ＧＣＩ（第１セル識別子）」と、ステップＳ１０１０Ａにおいて受信した報知情報（ＳＩＢ１）に含まれている「ＧＣＩ（第２セル識別子）」とが一致するか否かについて判定する。
【０１１９】
かかる場合、「ＧＣＩ（第１セル識別子）」は「セル＃１」を特定するものであり、「ＧＣＩ（第２セル識別子）」は「セル＃２」を特定するものであるため、両者は一致しない。したがって、移動局ＵＥは、かかるハンドオーバ処理に失敗したと判断する。
【０１２０】
その結果、移動局ＵＥは、ステップ１０１２Ｂにおいて、周辺セルの受信品質等に基づいてセル選択処理を行い、ステップ１０１２Ｃにおいて、選択したセルに対する再接続手順を行う。
【０１２１】
（本発明の第１の実施形態に係る移動通信システムの作用・効果）
本発明の第１の実施形態に係る移動通信システムによれば、移動局ＵＥが、「ＨＯ  Ｃｏｍｍａｎｄ（ハンドオーバ指示メッセージ）」に含まれている「ＧＣＩ（第１セル識別子）」と、報知情報（ＳＩＢ１）に含まれている「ＧＣＩ（第２セル識別子）」とが一致するか否かについて判定し、両者が一致した場合に、第１セルから第２セルへのハンドオーバが成功したと判断するように構成されているため、移動局ＵＥによって、当該移動局ＵＥが「第２セル（Ｔａｒｇｅｔ  ｃｅｌｌ）」を想定しているセルと、「第１セル（Ｓｏｕｒｃｅ  ｃｅｌｌ）」が「第２セル（Ｔａｒｇｅｔ  ｃｅｌｌ）」を想定しているセルとが異なっていることを検知して、第１セルから第２セルへのハンドオーバが成功したか否かについて正確に判断することができる。
【０１２２】
（変更例）
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【０１２３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１２４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【０１２５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１２６】
【図１】本発明の第１の実施形態に係る移動通信システムの全体構成図である。
【図２】本発明の第１の実施形態に係る移動通信システムにおけるプロトコルスタック図である。
【図３】本発明の第１の実施形態に係る無線基地局の機能ブロック図である。
【図４】本発明の第１の実施形態に係る移動局の機能ブロック図である。
【図５】本発明の第１の実施形態に係る移動通信システムの動作（成功）を示すシーケンス図である。
【図６】本発明の第１の実施形態に係る移動通信システムの動作（失敗）を示すシーケンス図である。
【図７】従来の移動通信システムの動作を示すシーケンス図である。
【図８】従来の移動通信システムの動作を説明するための図である。
【符号の説明】
【０１２７】
ｅＮＢ…無線基地局
１１…無線インターフェイス
１２…Ｘ２インターフェイス
１３…周辺基地局情報管理部
ＵＥ…移動局
２１…ハンドオーバ処理部
２２…報知情報受信部
２３…判断部
２３…再接続部
【図１】
0005123742.tif 000002
【図２】
0005123742.tif 000003
【図３】
0005123742.tif 000004
【図４】
0005123742.tif 000005
【図５】
0005123742.tif 000006
【図６】
0005123742.tif 000007
【図７】
0005123742.tif 000008
【図８】
0005123742.tif 000009